(57)【要約】  特にベビースリングに適する、少なくとも９０％の天然繊維で及び／又は天然繊維から生産された繊維から作製される、メッシュ構造を有する、平坦な柔軟性のあるテキスタイル要素である。【選択図】図２
2019528384.tif 000002
【特許請求の範囲】
【請求項１】
少なくとも９０％の天然繊維及び／又は天然繊維から生産された繊維を含む、平坦な柔軟性のあるテキスタイル要素であり、メッシュ構造を有することを特徴とする、テキスタイル要素。
【請求項２】
織られた布であることを特徴とする、請求項１に記載のテキスタイル要素。
【請求項３】
前記メッシュ構造のメッシュが、２から５ｍｍの間の最大長さを有することを特徴とする、前記請求項のうちの一項に記載のテキスタイル要素。
【請求項４】
少なくとも９０％の竹繊維及び／又はココナッツ繊維又はそれらから生産された繊維を含むことを特徴とする、前記請求項のうちの一項に記載のテキスタイル要素。
【請求項５】
少なくとも９０％の竹繊維又は竹繊維から生産された繊維を含むことを特徴とする、請求項４に記載のテキスタイル要素。
【請求項６】
前記テキスタイル要素が少なくとも１％のエラスタンを含むことを特徴とする、前記請求項のうちの一項に記載のテキスタイル要素。
【請求項７】
前記テキスタイル要素が双弾性（ｂｉ−ｅｌａｓｔｉｃ）であることを特徴とする、請求項６に記載のテキスタイル要素。
【請求項８】
前記テキスタイル要素が、天然繊維又は天然繊維から生産された繊維とエラスタンのみで作製されることを特徴とする、請求項６又は請求項７に記載のテキスタイル要素。
【請求項９】
前記天然繊維から生産された繊維が、存在する場合、ビスコース繊維であることを特徴とする、前記請求項のうちの一項に記載のテキスタイル要素。
【請求項１０】
ベビースリングであることを特徴とする、前記請求項のうちの一項に記載のテキスタイル要素。
【請求項１１】
３０から７０ｃｍの間の幅（ｂ）と、３５０から６５０ｃｍの間の長さ（ｌ）を有することを特徴とする、請求項１０に記載のテキスタイル要素。
【請求項１２】
おくるみであることを特徴とする、請求項１〜請求項９のうちの一項に記載のテキスタイル要素。
【請求項１３】
７０から１５０ｃｍの間の幅と、７０から１５０ｃｍの間の長さを有することを特徴とする、請求項１２に記載のテキスタイル要素。
【請求項１４】
ベッドカバーであることを特徴とする、請求項１〜請求項９のうちの一項に記載のテキスタイル要素。
【発明の詳細な説明】
【技術分野】
【０００１】
本発明は、請求項１に記載の平坦な柔軟性のあるテキスタイル要素に関する。
【背景技術】
【０００２】
いわゆるベビースリングが産業で公知である。それらは、典型的にはおよそ４５０×５０ｃｍの寸法を有する普通は長方形の一枚の材料（すなわち、平坦な柔軟性のあるテキスタイル要素）で作製される。当該テキスタイル要素は、或る程度の引裂き抵抗を必然的に有していなければならないので、一般に、比較的密に織られた綿から作製される。
【発明の概要】
【発明が解決しようとする課題】
【０００３】
本発明の目的は、特にベビースリングとしても適する、この目的のために向上した特性を有する、平坦な柔軟性のあるテキスタイル要素を提供することである。
【課題を解決するための手段】
【０００４】
この目的は、請求項１の特徴を有する平坦な柔軟性のあるテキスタイル要素によって達成される。このような平坦な柔軟性のあるテキスタイル要素の好ましい用途は、請求項１０〜請求項１４に記載され、このタイプの平坦な柔軟性のあるテキスタイル要素は、他の応用分野で、特にベビーキャリアの一部としても用いられ得ることが強調される。
【０００５】
本発明によれば、テキスタイル要素は、メッシュ構造を有する。特に、ベビースリングとして、又はいわゆる、おくるみとして用いられるとき、これは結果的に従来技術を上回る多くの利点をもたらす。最も重要な利点は、メッシュ構造が、その構造に起因して、子供にとってだけでなく利用者にとっても装着の快適さを大いに増加させることができる或る程度の弾性を付与することである。加えて、目の粗いメッシュ構造は、（ここでも同様に、子供にとっても利用者にとっても）それに触れる身体部分の通気を可能にし、これは同様に結果的に大いに向上した装着の快適さをもたらす。
【０００６】
このような平坦な柔軟性のあるテキスタイル要素は、織ること、編むこと、かぎ針編み、又は縦編みなどの様々な技術的プロセスで製造されてよく、織ることが一般に好ましいプロセスであり、その場合、テキスタイル要素は織られた布である。平坦な柔軟性のあるテキスタイル要素はメッシュ構造を有するので、原理的には結んで作ることもできるが、しかしこれは一般に好ましくない。
【０００７】
ここでメッシュの最大長さとして定義されるメッシュ構造のメッシュサイズは、好ましくは２から５ｍｍの間である。このメッシュサイズは、一方では十分な通気が提供され、他方ではもちろん危険があるため乳児のより小さな指でさえもテキスタイル布を通り抜けること又はこれに引っかかることを防ぐように選択される。
【０００８】
前述のように、本発明に係るテキスタイル要素の重要な利点は、その構造からもたらされる通気性であり、これは特に過度の発汗を抑制する。この効果をさらに促進するために、テキスタイル要素は、少なくとも５０パーセント、特に少なくとも９０パーセントの竹繊維及び／又はココナッツ繊維又はそれらから生産された繊維を含むことが好ましい。
【０００９】
特に、竹繊維は、抗菌作用を有することが公知であり、ゆえに、臭気の発生がさらに抑制される。さらに、したがって、全体として衛生が向上される。竹繊維又はココナッツ繊維は、それぞれ、紡いだ糸へ直接紡績され、それからテキスタイル要素が生産されてよく、又はそれらは、ビスコース法でそれから生産される繊維の基礎として用いられ、それから紡いだ糸が紡績されてもよい。竹繊維を用いることの別の利点は、生産されたテキスタイル要素の高い引裂き抵抗である。
【００１０】
テキスタイル要素の弾性特性、特に双弾性（ｂｉ−ｅｌａｓｔｉｃ）特性をさらに向上させるために、テキスタイル要素は部分的にエラスタンで作製されることが好ましい場合があり、１から３パーセント（重量パーセント）の間の割合が好ましい。
【００１１】
天然繊維又は天然繊維から生産された繊維とエラスタン以外のさらなる材料は用いられないことがさらに好ましい。
【００１２】
天然繊維又は天然繊維から生産された繊維とエラスタンとの混合材料が用いられるとき、良好な弾性特性を達成するために、両方のタイプの繊維を含む紡いだ糸を用いることが好ましい。
【００１３】
天然繊維並びに天然繊維から生産された繊維を混合して用いることも可能である。皮膚に優しい特性を得るために、天然繊維の割合又は天然繊維から生産された繊維の又は前述の混合物の割合は、布の重量の少なくとも９０パーセントであるべきである。
【００１４】
前述のように、テキスタイル要素の好ましい用途は、ベビースリング又はおくるみである。しかしながら、ベッドカバー又はベビーキャリアの一部がそれから同様に生産され得る。
【００１５】
本発明に係るテキスタイル要素は、単層又は多層設計を有し得る。
【００１６】
ここで本発明を１つの特定の例示的な実施形態に基づいて図面を参照しながらさらに詳細に説明する。
【図面の簡単な説明】
【００１７】
【図１】ベビースリングの概略的な上面図である。
【図２】図１からの詳細Ｄを同様に概略的に示す図である。
【発明を実施するための形態】
【００１８】
ここで本発明をベビースリング１０に関連して説明し、この例示的な実施形態に関連して具体的に説明される構造は、本発明に係る他のテキスタイル要素にも存在し得る。
【００１９】
このようなベビースリング１０は、平坦な柔軟性のある（すなわち、曲げることができる）、概してしなやかなテキスタイル要素であり、典型的には４５０ｃｍの長さｌ及び５０ｃｍの幅ｂを有し、他の寸法も有意義であり得る。テキスタイル要素は、特に、織ることにより生産されてよいが、編むこと、かぎ針編み、又は縦編みなどの他のプロセスによって生産されてもよい。テキスタイル要素がメッシュ構造を有することが、図２、すなわち、図２での詳細Ｄから分かる。これは、相互に平行な第１のストランド１２及び相互に平行な第２のストランド１４から構築されるものとして幾何学的観点で説明され得ることを意味し、第１のストランド１２と第２のストランド１４は互いに平行ではない。原理的には、２つのストランドの方向は相互に垂直であり得るが、これは図示した例示的な実施形態には当てはまらない。第１のストランド１２と第２のストランド１４は交点Ｋで交わり、ゆえに、いずれの場合にも４つの交点ＫがメッシュＭを画定する。図示した例示的な実施形態では、メッシュは、長さＬが幅Ｂよりも長い菱形である。メッシュの長さ（すなわち、その最大伸長）は、好ましくは２から５ミリメートルの間である。これは、確実に乳児の指が布に入ったりさらには通り抜けることを避けるが、依然として十分な通気がもたらされるようにする。
【００２０】
あらゆる他の織られた布と同様に（これは他の可能な製造タイプにもあてはまる）、テキスタイル要素は、紡いだ糸から織られ、各糸は、複数の繊維から紡績される。これに関して、天然繊維又は天然繊維から生産された繊維である繊維の割合は、少なくとも９０パーセントである。残りの繊維は、エラスタンであってよい。どの用いられる紡いだ糸も、結果的にテキスタイル要素全体の双弾性をもたらす、前述の天然繊維又は天然繊維から生産された繊維とエラスタンとの混合物であることが好ましい。
【００２１】
１つの好ましい例では、テキスタイル要素は、竹繊維から生産された９５〜９９重量パーセントのビスコース繊維と、１〜５重量パーセントのエラスタンを含む。
【図１−２】
2019528384.tif 000003
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
少なくとも９０％の天然繊維及び／又は天然繊維から生産された繊維を含む、平坦な柔軟性のあるテキスタイル要素であり、メッシュ構造を有し、前記メッシュ構造のメッシュが２から５ｍｍの間の最大長さを有することを特徴とする、テキスタイル要素。
【請求項２】
織られた布であることを特徴とする、請求項１に記載のテキスタイル要素。
【請求項３】
少なくとも９０％の竹繊維及び／又はココナッツ繊維又はそれらから生産された繊維を含むことを特徴とする、前記請求項のうちの一項に記載のテキスタイル要素。
【請求項４】
少なくとも９０％の竹繊維又は竹繊維から生産された繊維を含むことを特徴とする、請求項３に記載のテキスタイル要素。
【請求項５】
前記テキスタイル要素が少なくとも１％のエラスタンを含むことを特徴とする、前記請求項のうちの一項に記載のテキスタイル要素。
【請求項６】
前記テキスタイル要素が双弾性（ｂｉ−ｅｌａｓｔｉｃ）であることを特徴とする、請求項５に記載のテキスタイル要素。
【請求項７】
前記テキスタイル要素が、天然繊維又は天然繊維から生産された繊維とエラスタンのみで作製されることを特徴とする、請求項５又は請求項６に記載のテキスタイル要素。
【請求項８】
前記天然繊維から生産された繊維が、存在する場合、ビスコース繊維であることを特徴とする、前記請求項のうちの一項に記載のテキスタイル要素。
【請求項９】
ベビースリングであることを特徴とする、前記請求項のうちの一項に記載のテキスタイル要素。
【請求項１０】
３０から７０ｃｍの間の幅（ｂ）と、３５０から６５０ｃｍの間の長さ（ｌ）を有することを特徴とする、請求項９に記載のテキスタイル要素。
【請求項１１】
おくるみであることを特徴とする、請求項１〜請求項８のうちの一項に記載のテキスタイル要素。
【請求項１２】
７０から１５０ｃｍの間の幅と、７０から１５０ｃｍの間の長さを有することを特徴とする、請求項１１に記載のテキスタイル要素。
【請求項１３】
ベッドカバーであることを特徴とする、請求項１〜請求項８のうちの一項に記載のテキスタイル要素。
【手続補正２】
【補正対象書類名】明細書
【補正対象項目名】０００２
【補正方法】変更
【補正の内容】
【０００２】
いわゆるベビースリングが産業で公知である。それらは、典型的にはおよそ４５０×５０ｃｍの寸法を有する普通は長方形の一枚の布（すなわち、平坦な柔軟性のあるテキスタイル要素）で作製される。当該テキスタイル要素は、或る程度の引裂き抵抗を必然的に有していなければならないので、一般に、比較的密に織られた綿から作製される。
【国際調査報告】
2019528384.tif 000004
2019528384.tif 000005
2019528384.tif 000006
2019528384.tif 000007
2019528384.tif 000008
2019528384.tif 000009